(57)【要約】      （修正有）【課題】ロングネックレス等を装着対象に二重巻にして装着した際に、着用しているうちに生じるズレを抑制して、見栄えの良い長さを維持することができる装身用チェーンを提供する。【解決手段】装着対象に装着する装身具のチェーンであって、一端に係止部１２を有するチェーン本体１１と、チェーン本体に沿って摺動可能な摺動部材２０と、チェーン本体の一端側と他端側を連結可能な連結部材４０と、を備え、摺動部材は、係止部と接続される接続部２３を有している。【選択図】図３
0003206703.tif 000002
【実用新案登録請求の範囲】
【請求項１】
装着対象に装着する装身具のチェーンであって、
両端に係止部を有するチェーン本体と、
このチェーン本体に沿って摺動可能な摺動部材と、を備え、
前記摺動部材は、前記係止部と接続される接続部を有していることを特徴とする、装身用チェーン。
【請求項２】
装着対象に装着する装身具のチェーンであって、
一端に係止部を有するチェーン本体と、
このチェーン本体に沿って摺動可能な摺動部材と、
前記チェーン本体の一端側と他端側を連結可能な連結部材と、を備え、
前記摺動部材は、前記係止部と接続される接続部を有していることを特徴とする、装身用チェーン。
【請求項３】
前記連結部材は、前記チェーン本体が挿通される貫通孔を有した連結用外殻体と、
この連結用外殻体に内装されて前記チェーン本体と圧接される弾性部材と、を有し、
前記チェーン本体の他端側には、前記連結用外殻体の貫通孔に挿通可能なスライドピンが設けられており、
前記連結部材は、前記係止部が設けられた一端側よりに設けられていることを特徴とする、請求項２に記載の装身用チェーン。
【請求項４】
装着対象に装着する装身具のチェーンであって、チェーン本体と、このチェーン本体に沿って摺動可能な摺動部材と、を備え、前記チェーン本体の一端側には係止部が、他端側には前記係止部と接続される接続部が設けられ、前記摺動部材は、前記チェーン本体の一部を摺動可能な第一摺動部と、前記チェーン本体の一部とは異なる部分を摺動可能な第二摺動部と、を有していることを特徴とする、装身用チェーン。
【請求項５】
装着対象に装着する装身具のチェーンであって、チェーン本体と、このチェーン本体に沿って摺動可能な摺動部材と、を備え、前記チェーン本体の一端側には係止部が、他端側には前記係止部と接続される接続部が設けられ、前記摺動部材は、前記チェーン本体の一部及び前記チェーン本体の一部とは異なる部分を摺動可能な摺動部を有していることを特徴とする、装身用チェーン。
【請求項６】
装着対象に装着する装身具のチェーンであって、チェーン本体と、このチェーン本体に沿って摺動可能な摺動部材と、を備え、前記チェーン本体の一端側には係止部が、他端側には前記摺動部材に挿通可能なスライドピンが設けられ、前記摺動部材は、前記チェーン本体の一部を摺動可能な第一摺動部と、前記チェーン本体の一部とは異なる部分を摺動可能な第二摺動部と、前記係止部と接続される接続部と、を有していることを特徴とする、装身用チェーン。
【請求項７】
前記摺動部材は、前記チェーン本体が挿通される貫通孔を有した摺動用外殻体と、
この摺動用外殻体に内装されて前記チェーン本体と圧接される弾性部材と、を有していることを特徴とする、請求項１〜６の何れかに記載の装身用チェーン。
【請求項８】
前記係止部は、前記摺動用外殻体の貫通孔よりも大径に形成されていることを特徴とする、請求項７に記載の装身用チェーン。
【請求項９】
前記チェーン本体は、前記装着対象の周囲の２倍以上の長さを有していることを特徴とする、請求項１〜８の何れかに記載の装身用チェーン。
【考案の詳細な説明】
【技術分野】
【０００１】
本考案は、首元や腕等の装着対象に装着する装身用チェーンであって、更に詳しくは、様々な着用バリエーションを楽しむことができる装身用チェーンに関するものである。
【背景技術】
【０００２】
一般的に、複数のネックレスを重ね付けして、オシャレを楽しむことが広く行われている。通常、ネックレスの形態（外形）は、チェーンの形状や長さによって決まり、ペンダントトップを付けるか、付けないか程度の着用バリエ―ションしか選択できなかった。そのため、通常のネックレスを重ね付けして様々な着用バリエーションを楽しむためには、複数本のネックレスを用意する必要があり、費用が嵩んでしまうという問題があった。
【０００３】
このような問題に対して、１つのネックレスで複数の着用バリエ―ションを楽しむことができるネックレスが提案されている（特許文献１参照）。この特許文献１には、２本以上のチェーンを有していることにより、ペンダントの取り付けパターンをいくつか選択できるように構成されており、様々な着用バリエーションを楽しむことができる。そのため、デザインの幅を広げつつ費用を抑えることができる。
【０００４】
ところで、近年、通常のネックレスの長さ（４５ｃｍ程度）よりも長尺に形成されたロングネックレスＬの人気が高まっている。このロングネックレスＬにおいては、一重巻で着用者Ｗの首元から胸下あたりまで吊下げて使用するとともに（図６参照）、二重巻にして２連のネックレスとして使用する方法が一般的に知られている（図７参照）。
【先行技術文献】
【特許文献】
【０００５】
【特許文献１】実公平６−１４５６８号公報
【考案の概要】
【考案が解決しようとする課題】
【０００６】
特許文献１に記載のネックレスは、２連以上のネックレスとしての複数の着用バリエーションを楽しむことができるものの、近年人気の高まっているロングネックレスとして使用できるものではなかった。
また、従来のロングネックレスＬは、チェーンを二重巻にして２連のネックレスとして使用することが出来るが（図７（ａ）参照）、着用しているうちにズレが生じ、好ましい型が崩れてしまう問題があった（図７（ｂ）参照）。すなわち、２連のうち一方の輪が狭く、もう一方の輪が広がるようにズレが生じてきてしまい、見た目が悪くなってしまうという問題があった。
【０００７】
本考案は、かかる実情に鑑み、二重巻にした際に生じるズレを抑制して、見栄えの良い長さを維持することができる装身用チェーンを提供することを課題とする。
【課題を解決するための手段】
【０００８】
上記課題を解決するため、本考案に係る装身用チェーンは、装着対象に装着する装身具のチェーンであって、両端に係止部を有するチェーン本体と、このチェーン本体に沿って摺動可能な摺動部材と、を備え、前記摺動部材は、前記係止部と接続される接続部を有していることを特徴とする。
【０００９】
このように、チェーン本体の途中に設けられた摺動部材に、チェーンの両端を接続するよう構成したことにより、２連のそれぞれの輪の長さを固定することができる。すなわち、ロングネックレス等を装着対象に二重巻にして装着した際に、着用しているうちに生じるズレを抑制して、見栄えの良い長さを維持することができる。
【００１０】
本考案に係る装身用チェーンは、装着対象に装着する装身具のチェーンであって、一端に係止部を有するチェーン本体と、このチェーン本体に沿って摺動可能な摺動部材と、前記チェーン本体の一端側と他端側を連結可能な連結部材と、を備え、前記摺動部材は、前記係止部と接続される接続部を有していることを特徴とする。
このように、チェーン本体の一端側に設けられた係止部を摺動部の接続部に接続して、連結部材によってチェーン本体の一端側と他端側とを連結することにより、ロングネックレスを２連のネックレスとして利用することができる。
【００１１】
本考案の好ましい形態では、前記連結部材は、前記チェーン本体が挿通される貫通孔を有した連結用外殻体と、この連結用外殻体に内装されて前記チェーン本体と圧接される弾性部材と、を有し、前記チェーン本体の他端側には、前記連結用外殻体の貫通孔に挿通可能なスライドピンが設けられており、前記連結部材は、前記係止部が設けられた一端側よりに設けられていることを特徴とする。
このように、連結部材内に弾性部材が設けられていることにより、チェーン本体が容易に移動してしまうことを抑制することができる。また、チェーン本体の他端側にスライドピンが設け、チェーン本体の他端側を連結部材に挿通する構成としたことにより、２連チェーンのそれぞれの輪の長さを調節することができる。
【００１２】
本考案の好ましい形態では、装着対象に装着する装身具のチェーンであって、チェーン本体と、このチェーン本体に沿って摺動可能な摺動部材と、を備え、前記チェーン本体の一端側には係止部が、他端側には前記係止部と接続される接続部が設けられ、前記摺動部材は、前記チェーン本体の一部を摺動可能な第一摺動部と、前記チェーン本体の一部とは異なる部分を摺動可能な第二摺動部と、を有していることを特徴とする。
【００１３】
本考案の好ましい形態では、装着対象に装着する装身具のチェーンであって、チェーン本体と、このチェーン本体に沿って摺動可能な摺動部材と、を備え、前記チェーン本体の一端側には係止部が、他端側には前記係止部と接続される接続部が設けられ、前記摺動部材は、前記チェーン本体の一部及び前記チェーン本体の一部とは異なる部分を摺動可能な摺動部を有していることを特徴とする。
【００１４】
本考案の好ましい形態では、装着対象に装着する装身具のチェーンであって、チェーン本体と、このチェーン本体に沿って摺動可能な摺動部材と、を備え、前記チェーン本体の一端側には係止部が、他端側には前記摺動部材に挿通可能なスライドピンが設けられ、前記摺動部材は、前記チェーン本体の一部を摺動可能な第一摺動部と、前記チェーン本体の一部とは異なる部分を摺動可能な第二摺動部と、前記係止部と接続される接続部と、を有していることを特徴とする。
【００１５】
本考案の好ましい形態では、前記摺動部材は、前記チェーン本体が挿通される貫通孔を有した摺動用外殻体と、この摺動用外殻体に内装されて前記チェーン本体と圧接される弾性部材と、を有していることを特徴とする。
このように、摺動部材内にも弾性部材が設けられていることにより、チェーン本体が容易に移動してしまうことを抑制することができる。
【００１６】
本考案の好ましい形態では、前記係止部は、前記摺動用外殻体の貫通孔よりも大径に形成されていることを特徴とする。
このように、係止部を摺動用外殻体の貫通孔よりも大径に形成することにより、チェーンが引っ張り等の力が加わった時に摺動部材が係止部に引っ掛るため、容易に摺動部材がチェーンから抜けてしまうことを防止することができる。
【考案の効果】
【００１７】
本考案は、二重巻にした際に生じるズレを抑制して、見栄えの良い長さを維持することができる装身用チェーンを提供することができる。
【図面の簡単な説明】
【００１８】
【図１】本考案の実施形態１に係る装身用チェーンを示す正面図である。
【図２】本考案の実施形態１に係る装身用チェーンの要部を示す図である。
【図３】本考案の実施形態２に係る装身用チェーンを示す正面図である。
【図４】本考案の実施形態２に係る装身用チェーンの要部を示す図である。
【図５】本考案に係る装身用チェーンの装着例を示す図である。
【図６】ロングネックレスを一重巻で着用した様子を示す図である。
【図７】ロングネックレスを二重巻で着用した様子を示す図である。
【図８】本考案の実施形態３に係る装身用チェーンを示す図である。
【図９】本考案の実施形態３に係る装身用チェーンの使用方法を示す図である。
【図１０】本考案の実施形態４に係る装身用チェーンを示す図である。
【図１１】本考案の実施形態５に係る装身用チェーンを示す図である。
【考案を実施するための形態】
【００１９】
以下、本考案を図面に示した好ましい実施形態１〜５について詳細に説明する。本考案の技術的範囲は、添付図面に示した実施形態に限定されるものではなく、実用新案登録請求の範囲に記載された範囲内において、適宜変更が可能である。
【００２０】
＜実施形態１＞
実施形態１に係る装身用チェーンＡは、図１に示すように、両端に係止部１２を有するチェーン本体１１と、このチェーン本体１１に沿って摺動する摺動部材２０と、を備えている。そしてこの摺動部材２０は、チェーン本体１１の両端に設けられた係止部１２と接続される接続部２３を有している。
【００２１】
図１（ａ）は、本実施形態に係る装身用チェーンＡを一重巻で使用する場合の形状を示しており、図１（ｂ）は、二重巻で使用する場合の形状を示している。
また、図２（ａ）は、図１（ｂ）に示したＺ１箇所の要部拡大図であり、図２（ｂ）は、摺動部材２０の部分断面図である。
【００２２】
チェーン本体１１の両端には、摺動部材２０の接続部２３である引き輪に係止される係止部１２が設けられている。チェーン本体１１は、装着対象Ｍとなる首元を少なくとも２周可能な長さに形成されており、この両端には係止部１２が丸環１３を介して揺動自在に連結されている。係止部１２の一端側には、接続部２３が係止可能な輪状部１２ａが、他端側には丸環１３が連結される小輪状部１２ｂが形成されている。また、係止部１２の形状は、上記の形状に限られることなく、接続部２３に係止可能な形状を有していれば良い。例えば、大きな丸環やハート状に形成した環状部材を採用しても良いし、チェーン本体１１の鎖が大径に形成されている場合には、この鎖自体に接続部２３を係止することも可能である。さらに、一端側と他端側に設けられた係止部１２は、それぞれ異なる形状であっても良い。
【００２３】
摺動部材２０は、図２（ｂ）に示すように、チェーン本体１１が挿通される貫通孔２１ａを有した摺動用外殻体２１と、この摺動用外殻体２１に内装されてチェーン本体１１と圧接される弾性部材２２と、摺動用外殻体２１の外側に設けられる接続部２３と、を有している。
【００２４】
摺動用外殻体２１は、チェーン本体１１が挿通される貫通孔２１ａと、接続部２３と連結される連結部２１ｂと、を有している。
貫通孔２１ａは、チェーン本体１１の線径より大径に形成され、また、係止部１２よりも小径に形成されている。そのため、この摺動用外殻体２１は、チェーン本体１１上を摺動することは可能であるが、係止部１２を超えて逸脱することがないよう構成されている。
連結部２１ｂは、環状またはＵ字状の部品が摺動用外殻体２１の外側にろう付け等の固着手段によって固定されている。
【００２５】
弾性部材２２は、チェーン本体１１の任意の位置で拘束する抵抗力を有し、所定の力を加えることで摺動可能な弾性力を有していればよい。この弾性部材２２の構造としては、図２（ｂ）に示すような一般的に広く流通しているチェーン本体１１を通す穴を有する管状の構造を採用しても良いし、両側又は片側からチェーン本体１１を押さえつけるような構造を採用しても良い。
これにより、摺動部材２０は、その内周壁面でチェーン本体１１を弾性的に圧迫して、摺動部材２０を任意の位置で保持できるよう構成されている。
なお、上述した構成は摺動部材２０の一例であり、従来用いられている摺動可能な構成であれば当然に採用することができる。
【００２６】
接続部２３は、図２に示すように、接続環２３ａによって摺動用外殻体２１の連結部２１ｂに揺動自在に連結されている。この接続部２３としては、引き輪やカニカン等の一般に使用される開閉フック式連結部材を採用することが望ましい。
【００２７】
次に、本実施形態に係る装身用チェーンＡをネックレスとして使用した場合の装着バリエーションについて、図１（ａ）及び図１（ｂ）を用いて、詳細に説明する。
【００２８】
図１（ａ）に示すように、摺動部材２０を一端側（又は他端側）に摺動させ、接続部２３を他端側（又は一端側）の係止部１２と接続した場合には、摺動部材２０から他端側のチェーン本体１１を長く形成することができ、ロングネックレスとして使用することができる。ここで係止部１２は、摺動部材２０の貫通孔２１ａより大径に形成されているため、容易に抜けてしまうことがない。また、摺動部材２０を他端側に摺動させ、接続部２３を一端側の係止部１２と接続した場合であっても、同様にロングネックレスとして使用することができる。また、このように本考案をロングネックレスとして使用する場合には、摺動部材２０の位置を調節することにより、ロングネックレスの長さを調節することが可能である。
【００２９】
一方、図１（ｂ）に示すように、摺動部材２０を、チェーン本体１１の中間位置に配置させた場合には、両側（一端側と他端側）の係止部１２，１２を接続部２３と接続することにより、２連のネックレスとすることができる。この場合、摺動部材２０の位置を摺動させて適宜調整することにより２つの輪の大きさを、着用者の好みの長さとなるよう調節することができる。
【００３０】
本考案によれば、チェーン本体１１の両端を、チェーン本体１１上を摺動する摺動部材２０に、接続可能に構成したことにより、ロングネックレスとしても２連のネックレスとしても使用することができる。さらに、２連のネックレスとして使用する場合には、摺動部材２０を摺動させながら位置を調節することにより、着用者の好みの長さを容易に調節することができる。
これにより装着者は、様々な着用バリエーションでオシャレを楽しむことが出来る。
【００３１】
また、本実施形態によれば、係止部１２を貫通孔２１ａより大きく形成することにより、ロングネックレスの形態時に、予期せぬ引張によって外れてしまうことを抑制することが出来る。そのため着用者は、安心してネックレスを着用することができる。
【００３２】
また、本発明の着用時には、好みのペンダントトップＰをチェーン本体１１に通すことで、さらに多くの着用バリエーションを楽しむことが出来る。例えば、図５は複数のペンダントトップＰを用いた着用バリエーションの例を示す図であり、図５（ａ）はロングネックレスに１０個のペンダントトップＰを設けた例を、図５（ｂ）は２連のネックレスの外側に７個，内側に３個設けた例を、図５（ｃ）は２連のネックレスの外側に３個，内側に７個設けた例を、図５（ｄ）は２連のネックレスの外側に５個設けた例を、それぞれ示している。このように、複数パターンの着用バリエーションがあり、長さ調節も自由に行えるため、着用者は好みに合わせて自由にデザインすることができる。
【００３３】
＜実施形態２＞
以下、本考案の実施形態２の装身用チェーンＢについて、図３，図４を参照して詳細に説明する。この実施形態２に係る装身用チェーンＢは、チェーン本体１１の一端側と他端側を連結させる連結部材４０を有していることを特徴とする。なお、同実施形態において、先の実施形態と基本的に同一の構成要素については、同一の符号を付してその説明を簡略化する。
【００３４】
本実施形態に係るネックレスＢは、図３に示すように、一端に係止部１２を有するチェーン本体１１と、チェーン本体１１に沿って摺動する摺動部材２０と、チェーン本体１１の一端側と他端側を連結させる連結部材４０と、を備えている。そして連結部材４０は、係止部１２が設けられた一端側に取付けられている。
【００３５】
図３（ａ）は、本実施形態に係る装身用チェーンＢを一重巻で使用する場合の形状を示しており、図３（ｂ）は、二重巻で使用する場合の形状を示している。
また、図４（ａ）は、図３（ｂ）に示したＺ２箇所の要部拡大図であり、図４（ｂ）は、摺動部材２０の部分断面図であり、図４（ｃ）は、連結部材４０の部分断面図である。
【００３６】
チェーン本体１１は、このチェーン本体１１の一端側に設けられる係止部１２と、他端側に設けられるスライドピン３１と、を有している。
スライドピン３１は、摺動部材２０及び連結部材４０を貫通できるような長さに形成されている。また、図には示されていないが、スライドピン３１の外周位置に爪が引っ掛る凹部を設け、指で扱い易いよう構成しても良い。
【００３７】
摺動部材２０は、先の実施形態１と同様の形状を採用しても良いし、図４（ｂ）に示すように、摺動用外殻体２１と接続部２３を、丸環２１ｃ等をろう付けすることによって固定する構成を採用しても良い。また、丸環２１ｃを設けず、摺動用外殻体２１と接続部２３を直接ろう付けすることも当然に可能である。
【００３８】
連結部材４０は、図４（ｃ）に示すように、摺動部材２０と同様に、チェーン本体１１が挿通される貫通孔４１ａを有した連結用外殻体４１と、この連結用外殻体４１に内装されてチェーン本体１１と圧接される弾性部材４２と、を有している。この弾性部材４２は、摺動部材２０の弾性部材２２と同様に、チェーン本体１１を通す穴を有する管状の構造を採用しても良いし、両側又は片側からチェーン本体１１を押さえつけるような構造を採用しても良い。
【００３９】
連結用外殻体４１は、チェーン本体１１が挿通される貫通孔４１ａと、チェーン本体１１と接続される接続環４１ｂと、係止部１２と接続される接続環４１ｃと、を有している。このように、連結部材４０は、一端側のチェーン本体１１に接続され、他端側のチェーン本体１１を挿通することで連結可能に構成されている。
なお、この実施形態では、連結部材４０が係止部１２と接続された例を示したが、係止部１２が設けられた一端側よりに設けられていれば良く、チェーン本体１１の途中に連結部材４０を取付けても良い。
【００４０】
次に、本実施形態に係る装身用チェーンＢをネックレスとして使用した場合の装着バリエーションについて、図３（ａ）及び図３（ｂ）を用いて、詳細に説明する。
【００４１】
図３（ａ）に示すように、連結部材４０にチェーン本体１１を挿通しない場合には、ロングネックレスとして使用することができる。また、このように本考案をロングネックレスとして使用する場合には、摺動部材２０の位置を調節することにより、ロングネックレスの長さを調節することが可能である。
【００４２】
一方、図３（ｂ）に示すように、チェーン本体１１の一端側に設けられた係止部１２を摺動部材２０に接続し、チェーン本体１１の他端側に設けられたスライドピン３１を、チェーン本体１１の一端側に設けられた連結部材４０に連結することで、２連のネックレスとすることができる。この場合、摺動部材２０を摺動位置及び連結部材４０に挿通するチェーン本体１１の長さを適宜調整することにより２つの輪の大きさを、着用者の好みの長さとなるよう調節することができる。
【００４３】
本実施形態によれば、連結部材４０にチェーン本体１１を挿通する構成としたことにより、２連のネックレスにした際の長さ調節のバリエーションを増やすことができる。すなわち、連結部材４０に挿通するチェーン本体１１の長さを調節することにより、２連のネックレスの長さの総和を調節することができるため、どちらの輪も短くするといったような長さ調節が可能である。
【００４４】
また、本実施形態によれば、連結部材４０にスライドピン３１を挿通する構成を採用したことにより、ペンダントトップＰの選択肢を広げることができる。すなわち、実施形態１に係る装身用チェーンＡでは、係止部１２をより大径な挿通部を有するペンダントトップＰしか取り付けることが出来なかったが、本実施形態に係る装身用チェーンＢでは、スライドピン３１が挿通可能なペンダントトップＰであれば採用することができるため、挿通可能なペンダントトップＰの種類を増やすことができる。
【００４５】
なお、装着対象Ｍとして着用者の首元に装着するネックレスの例を示したが、本発明は、手首に嵌めるブレスレットや足首に嵌めるアンクレット等の装身用チェーンにも、当然に適用することができる。その場合に、チェーン本体１１は、手首若しくは足首を２周可能な長さに形成されていれば良い。
【００４６】
また、各部材の材質としては、例えば、適宜貴金属製のもの（或いは、適宜金属材に貴金属メッキを施したもの）や、適宜合成樹脂製のものや、適宜複合材を利用したものや、これらの材質からなるパーツを組合わせたもの、を採用することができる。
【００４７】
さらに、チェーン本体１１においては、装身用鎖・チェーン状に形成されたものや、装身用紐状に形成されたものや、その他適宜構成のものであれば良いが、摺動部材２０が摺動可能なよう比較的細くて凹凸状態が激しくないもの（極端に突出した部分がないこと）が好ましい。
【００４８】
＜実施形態３＞
以下、本考案の実施形態３の装身用チェーンＣについて、図８を参照して詳細に説明する。この実施形態３に係る装身用チェーンＣは、先の実施形態とは異なる摺動部材５０を備えていること特徴とする。なお、同実施形態において、先の実施形態と基本的に同一の構成要素については、同一の符号を付してその説明を簡略化する。
【００４９】
図８は実施形態３に係る装身用チェーンＣを示す図であり、図８（ａ）は装身用チェーンＣを一重巻で使用する場合の形状を示しており、図８（ｂ）は二重巻で使用する場合の形状を示しており、図８（ｃ）は摺動部材５０の構成を示している。
【００５０】
実施形態３に係る装身用チェーンＣは、図８に示すように、一端側に係止部１２が、他端側に係止部１２と接続される接続部２３が設けられたチェーン本体１１と、このチェーン本体１１が挿通される摺動部材５０と、を備えている。
【００５１】
摺動部材５０は、チェーン本体１１の一部を摺動可能な第一摺動部５１と、この第一摺動部５１が摺動する位置とは異なる部分を摺動可能な第二摺動部５２と、を有している。
第一摺動部５１及び第二摺動部５２は、先の実施形態に係る摺動部材と同じように、貫通孔５１ｂ，５２ｂが形成された外殻体５１ａ，５２ａと、この外殻体５１ａ，５２ａの中に設けられる弾性部材５１ｃ，５２ｃと、を有している。
【００５２】
第一摺動部５１及び第二摺動部５２は、図８（ｃ）に示すように、外殻体５１ａ，５２ａを貫通させた連通部材５３によって、連通部材５３を軸に回転可能に構成されていても良いし、接着剤やろう付け等の固定手段により固定されていても良い。
【００５３】
図９は、実施形態３に係る装身用チェーンの使用方法の一例を示す図であり、摺動部材５０をネックレスのトップと同じ位置、すなわち装身用チェーンの装着時の正面側に配置させた例を示している。このように正面側に摺動部材５０を配置する場合には、摺動部材５０に色や模様を設け、ペンダントトップのように装飾することが望ましい。
また、外殻体５１ａ，５２ａの形状としては、図８に例示したような球状に限られることはなく、例えば星形やハート形等のデザインを採用することも当然に可能である。
【００５４】
＜実施形態４＞
以下、本考案の実施形態４の装身用チェーンＤについて、図１０を参照して詳細に説明する。この実施形態４に係る装身用チェーンＤは、先の実施形態とは異なる摺動部材６０を備えていること特徴とする。なお、同実施形態において、先の実施形態と基本的に同一の構成要素については、同一の符号を付してその説明を簡略化する。
【００５５】
図１０は実施形態４に係る装身用チェーンＤを示す図であり、図１０（ａ）は装身用チェーンＤを一重巻で使用する場合の形状を示しており、図１０（ｂ）は二重巻で使用する場合の形状を示しており、図１０（ｃ），（ｄ）は摺動部材６０の構成を示している。
【００５６】
摺動部材６０は、先の実施形態に係る摺動部材と同じように、貫通孔６１ａが形成された外殻体６１と、この外殻体６１の中に設けられる弾性部材６２と、を有している。
貫通孔６１ａは、チェーン本体１１を２本以上挿通可能な大きさに形成した1つの貫通孔を形成しても良いし、チェーン本体１１を１本挿通可能な２つの貫通孔を形成しても良い。
【００５７】
弾性部材６２は、チェーン本体１１の一部を摺動可能な第一摺動部６２ａと、この第一摺動部６２ａが摺動する位置とは異なる部分を摺動可能な第二摺動部６２ｂと、を有している。これら第一摺動部６２ａ，第二摺動部６２ｂは、例えば、図１０（ｃ）に示すように仕切り版６２ｃによって仕切られて形成されており、チェーン本体１１の径に対応した大きさを有する筒状に形成されている。
また、図１０（ｄ）に示すように、仕切り版６２ｃを設けず、１つの貫通孔にチェーン本体１１の２本分をまとめて挿通して摺動可能な１つの摺動部６２ｄを採用することも当然に可能である。
さらに、本実施形態においても、先の実施形態３に係る装身用チェーンＣと同様に、摺動部材６０を正面側に配置して装着することができる（図９参照）。
【００５８】
また、外殻体６１の形状としては、図１０に例示したような球状に限られることはなく、例えば星形やハート形等のデザインを採用することも当然に可能である。
【００５９】
＜実施形態５＞
以下、本考案の実施形態５の装身用チェーンＥについて、図１１を参照して詳細に説明する。この実施形態５に係る装身用チェーンＥは、先の実施形態とは異なる摺動部材７０を備えていること特徴とする。なお、同実施形態において、先の実施形態と基本的に同一の構成要素については、同一の符号を付してその説明を簡略化する。
【００６０】
図１１は実施形態５に係る装身用チェーンＥを示す図であり、図１１（ａ）は装身用チェーンＥを一重巻で使用する場合の形状を示し、図１１（ｂ）は二重巻で使用する場合の形状を示し、図１１（ｃ）は摺動部材７０の構成を示している。
【００６１】
実施形態５に係る装身用チェーンＥは、図１１に示すように、一端側に係止部１２が、他端側にスライドピン３１が設けられたチェーン本体１１と、このチェーン本体１１が挿通される摺動部材７０と、を備えている。
【００６２】
摺動部材７０は、実施形態３に係る摺動部材５０に接続部２３（例えば、引き輪）を接続した構成となっており、前記チェーン本体１１の係止部１２が接続可能なよう構成されている。
【００６３】
本実施形態によれば、実施形態２と同様にスライドピン３１を設け、チェーン本体１１の一端側を摺動部材７０に挿通する構成としたことにより、２連のネックレスにした際の長さ調節のバリエーションを増やすことができる。すなわち、摺動部材７０に挿通するチェーン本体１１の長さを調節することにより、２連のネックレスの長さの総和を調節することができるため、どちらの輪も短くするといったような長さ調節が可能である。
【符号の説明】
【００６４】
Ａ，Ｂ，Ｃ，Ｄ，Ｅ  装身用チェーン
１１  チェーン本体
１２  係止部
１３  丸環
２０，５０，６０，７０  摺動部材
２１  摺動用外殻体
２２  弾性部材
２３  接続部
３１  スライドピン
４０  連結部材
４１  連結用外殻体
４２  弾性部材
Ｍ  装着対象
Ｌ  ロングネックレス
【図１】
0003206703.tif 000003
【図２】
0003206703.tif 000004
【図３】
0003206703.tif 000005
【図４】
0003206703.tif 000006
【図５】
0003206703.tif 000007
【図６】
0003206703.tif 000008
【図７】
0003206703.tif 000009
【図８】
0003206703.tif 000010
【図９】
0003206703.tif 000011
【図１０】
0003206703.tif 000012
【図１１】
0003206703.tif 000013